(57)【特許請求の範囲】
【請求項１】
給水部に一端を接続した給水路を途中で二手に分岐させ、分岐した一方を内部に熱源を備えた貯湯タンク内に接続させると共に、分岐した他方を前記貯湯タンク内に一端を接続して配設される給湯路の途中に混合弁を介して接続させて成る給湯ユニットにおいて、前記給水路の分岐箇所よりも上流側に減圧弁を備え、前記給水路の減圧弁よりも下流側の箇所と、前記給湯路の混合弁よりも下流側の箇所とを、別の分岐給水路にて接続させると共に、前記給湯路と前記分岐給水路との接続個所に第二混合弁を介在させたことを特徴とする給湯ユニット。
【請求項２】
前記給湯路の途中に温度調節用の補助熱源を備えたことを特徴とする請求項１記載の給湯ユニット。
【発明の詳細な説明】
【０００１】
【発明の属する技術分野】
本発明は、ソーラーシステムを用いた給湯ユニットに関する。
【０００２】
【従来の技術】
従来から、ソーラーシステムを用いた給湯ユニットとして、貯湯タンク内で加熱して備えた熱湯を該貯湯タンクに接続される給湯路を通してそのまま供給するのではなく、水を混合させて湯温を下げる為の混合弁や補助熱源であるオート式給湯器等を給湯路の途中に備えて、使用者により設定される所定温度にまで湯温を低下若しくは上昇させたうえで浴室等に供給する利便性の高いものが提案されている。
【０００３】
上記した従来の給湯ユニットにあっては、貯湯タンクに水を供給する為に配設した給水路の途中に減圧弁が備えられており、更に、混合弁にて混合されるお湯側と水側との水圧を同じにする必要があることから、混合弁に水を供給する為に配設した給水路にも別の減圧弁が備えられていた。つまり、従来この手の給湯ユニットにあっては減圧弁を二箇所に備える必要があり、この為に、取り付けの手間がかかったりコストが高くついたりしていた。
【０００４】
【発明が解決しようとする課題】
本発明は上記の点に鑑みてなされたものであり、取り付けの手間やコストの削減を可能としたソーラーシステム用の給湯ユニットを提供することを課題とするものである。
【０００５】
【課題を解決するための手段】
上記課題を解決するために本発明に係る給湯ユニットを、給水部に一端を接続した給水路を途中で二手に分岐させ、分岐した一方を内部に熱源を備えた貯湯タンク内に接続させると共に、分岐した他方を前記貯湯タンク内に一端を接続して配設される給湯路の途中に混合弁を介して接続させて成る給湯ユニットにおいて、前記給水路の分岐箇所よりも上流側に減圧弁を備え、前記給水路の減圧弁よりも下流側の箇所と、前記給湯路の混合弁よりも下流側の箇所とを、別の分岐給水路にて接続させると共に、前記給湯路と前記分岐給水路との接続個所に第二混合弁を介在させたことを特徴とする給湯ユニットとする。このようにすることで、貯湯タンク内への供給水と混合弁への供給水とを同一の水圧にして混合弁での混合を良好に行うことができると共に、給水路中に備える減圧弁が一つで済むことから取り付けの手間やコストを削減することができる。
【０００６】
加えて、給湯路中における水の混合が二段階で行われることとなり、最初の混合で例えば４５℃程度にまで湯温を低下させたうえで次の混合で微調整を行えば、使用者の設定した温度で常に給湯を行うことのできる利便性の高い給湯ユニットとなる。
【０００７】
また、給湯路の途中に温度調節用の補助熱源を備えることも好ましく、このようにすることで、使用者の設定した温度よりも湯温が低い場合には補助熱源により微調整を行うことができるので、更に利便性の高い給湯ユニットとなる。
【０００８】
【発明の実施の形態】
以下、本発明を添付図面に示す実施の形態に基づいて説明する。図１には、本発明の実施の形態における一例のソーラーシステムを用いた給湯ユニット１を示している。上記給湯ユニット１には湯水の貯められる貯湯タンク２と熱媒である不凍液の貯められる膨張タンク３とが備えてあり、この膨張タンク３とソーラーパネル部５とが、途中に熱交換器４を介在させて配設される循環パイプ６により接続されている。熱交換器４は貯湯タンク２の下部に内蔵されており、ソーラパネル部５にて加熱された不凍液がポンプ２１により熱交換器４を通って循環することで、貯湯タンク２内の湯水を温めるようになっている。また、貯湯タンク２の上端部にはタンク湯出口７が形成されていて、風呂場２０に設置されるシャワーやカラン等の湯水吐出部１８にまで湯水を供給する為の給湯路８が、前記タンク湯出口７に一端を接続して配設されている。
【０００９】
給水部９に一端を接続した給水路１１は、その途中の箇所にて、上流側分岐チーズ１０を介して第一分岐給水路１１ａと第二分岐給水路１１ｂの二手に分岐している。この分岐した一方の給水路１１である第一分岐給水路１１ａは、貯湯タンク２の下端部に形成されるタンク給水口１２から挿入されて貯湯タンク２内に接続されている。また、分岐した他方の給水路１１である第二分岐給水路１１ｂは、前記給湯路８の途中の箇所と混合弁１４を介して接続されている。
【００１０】
更に、第一分岐給水路１１ａの途中の個所からは、下流側分岐チーズ１３を介して第三分岐給水路１１ｃが分岐している。この第三分岐給水路１１ｃは、給湯路８の途中であって混合弁１４よりも下流側の箇所と第二混合弁１６を介して接続されるものである。
【００１１】
給水路１１の途中であって上流側分岐チーズ１０を備えた第一分岐給水路１１ａと第二分岐給水路１１ｂとの分岐箇所よりも上流側の箇所には、減圧弁１５を備えている。これにより、第一、第二、第三分岐給水路１１ａ，１１ｂ，１１ｃはいずれも減圧弁１５よりも下流側に位置することになるので、給水部９から給水路１１を介して供給される水は減圧弁１５を通過して減圧された状態で混合弁１４や第二混合弁１６や貯湯タンク２に供給される。
【００１２】
給湯路８の第二混合弁１６より下流側の箇所には補助熱源であるガス給湯器１７を備えており、このガス給湯器１７の更に下流側にて給湯路８は風呂場２０内の湯水吐出部１８に接続されている。また、給水路１１の減圧弁１５より上流側の箇所と、給湯路８の第二混合弁１６とガス給湯器１７とに挟まれる箇所とは、直接供給用給水路２２により接続されている。
【００１３】
上記構成により、貯湯タンク２内には給水路１１の第一分岐給水路１１ａを通って下端側から水が供給され、この水が熱源である熱交換器４によって暖められて貯湯タンク２内に熱湯として貯められる。貯湯タンク２の上端側から給湯路８を通って外部に供給された熱湯は、給湯路８の途中に備えた混合弁１６にて、第二分岐給水路１１ｂを通って供給される水と混合されて４５℃程度まで湯温を下げられたうえで更に下流側へと供給される。
【００１４】
給湯路８の混合弁１４より下流に備えられる第二混合弁１６及びガス給湯器１７は夫々コントローラ１９により制御され、該コントローラ１９で設定される温度よりも湯温が高い場合は、第三分岐給水路１１ｃを通って供給される水を第二混合弁１６にて混合させて湯温を低下させ、設定温度よりも湯温が低い場合はガス給湯器１７での燃焼熱により湯温を上昇させる。また、湯水吐出部１８から水を供給させたい場合は、直接供給用給水路２２を通して貯湯タンク２を介することなく供給すれば良い。
【００１５】
本例の給湯ユニット１にあっては、第二混合弁１６と混合弁１４における上流、下流の位置関係は逆であっても良く、その場合は第二混合弁１６で湯温を４５℃程度まで一端低下させて混合弁１４及びガス給湯器１７でコントローラ１９での設定温度に基づいた微調整を行う。いずれにせよ、給湯路８の途中にて二段階に水を混合可能とし、更に、補助熱源であるガス給湯器１７を備えることで、使用者の設定した温度で常に給湯の行われる利便性の高い給湯ユニット１となっている。
【００１６】
また、混合弁１４や第二混合弁１６にて混合される水は貯湯タンク２から供給されるお湯と同圧力であることが要求されるが、本例にあっては既述したように混合弁１４や第二混合弁１６や貯湯タンク２に供給される水はいずれも減圧弁１５を通過して同圧力となっていることから上記要求は満たされている。
【００１７】
【発明の効果】
上記のように請求項１記載の発明にあっては、貯湯タンク内への供給水と混合弁への供給水とを同一の水圧にして混合弁での混合を良好に行うことができると共に、このようにする為に給水路中に備える減圧弁が一つで済むことから、取り付けの手間やコストを削減することができるという効果がある。
【００１８】
加えて請求項１記載の発明にあっては、給湯路中における水の混合が二段階で行われることから、最初の混合で例えば４５℃程度にまで湯温を低下させたうえで次の混合で微調整を行えば、使用者の設定した温度で常に給湯を行うことのできる利便性の高い給湯ユニットとすることができるという効果がある。
【００１９】
また、請求項２記載の発明にあっては、請求項１記載の発明の効果に加えて、使用者の設定した温度よりも湯温が低い場合には補助熱源により微調整を行うことができることから、更に利便性の高い給湯ユニットとすることができるという効果がある。
【図面の簡単な説明】
【図１】本発明の実施の形態における一例のソーラーシステムを用いた給湯ユニットを示す概略構成図である。
【符号の説明】
１  給湯ユニット
２  貯湯タンク
４  熱交換器
８  給湯路
９  給水部
１１  給水路
１１ａ  第一分岐給水路
１１ｂ  第二分岐給水路
１１ｃ  第三分岐給水路
１４  混合弁
１５  減圧弁
１６  第二混合弁
１７  ガス給湯器
【図１】
0003812438.tif 000002